(57)【特許請求の範囲】
【請求項１】
コード情報を記憶した第1メモリ領域、及び、予め設定されたアクセスパスワードが指定されたときに読み取り可能な第２メモリ領域を有する無線タグと無線通信する無線通信手段と、
予め指定されたアクセスパスワードを記憶する記憶手段と、
前記無線通信手段の無線通信により所定の無線タグの第１メモリ領域に記憶されたタグコードを読み取る第１制御手段と、
前記無線通信手段の無線通信により、アクセスパスワードを指定せずに前記所定の無線タグの第２メモリ領域の読み取りを試行し、読み取れないならば前記記憶手段に記憶されたアクセスパスワードを指定して同無線タグの第２メモリ領域の読み取りを試行する第２制御手段と、
この第２制御手段により前記記憶手段に記憶されたアクセスパスワードを指定することで前記所定の無線タグの第２メモリ領域が読み取られたとき、前記第１制御手段により同無線タグから読み取られたコード情報を用いて所定の処理を実行する処理手段と、
を備えていることを特徴とする無線通信装置。
【請求項２】
前記第２制御手段により、アクセスパスワードを指定せずに前記所定の無線タグの第２メモリ領域を読み取れたとき、又は、前記記憶手段に記憶されたアクセスパスワードを指定しても同無線タグの第２メモリ領域を読み取れないときに所定の情報を報知する報知手段をさらに備えていることを特徴とする請求項１に記載の無線通信装置。
【請求項３】
前記無線タグは、物品の識別情報が記憶される第３メモリ領域をさらに有し、
前記記憶手段は、予め指定されたコード情報及びアクセスパスワードを対応つけて記憶し、
前記無線通信手段の無線通信により前記所定の無線タグの第３メモリ領域に記憶された識別情報を読み取る第３制御手段をさらに備え、
前記処理手段は、前記第２制御手段により前記記憶手段に記憶されたアクセスパスワードを指定することで前記所定の無線タグの第２メモリ領域が読み取れたとき、前記第１制御手段により読み取られたコード情報を用いて、前記第３制御手段により読み取られた識別情報で示される物品を対象とし所定の処理を実行することを特徴とする請求項１又は２に記載の無線通信装置。
【請求項４】
コード情報を記憶した第1メモリ領域、及び、予め設定されたアクセスパスワードが指定されたときに読み取り可能な第２メモリ領域を有する無線タグと無線通信する無線通信手段を備えたコンピュータの制御プログラムであって、
前記コンピュータに、
前記無線通信手段の無線通信により所定の無線タグの第１メモリ領域に記憶されたタグコードを読み取る第１制御機能と、
前記無線通信手段の無線通信により、アクセスパスワードを指定せずに前記所定の無線タグの第２メモリ領域の読み取りを試行し、読み取れないならば所定の記憶手段に予め記憶されたアクセスパスワードを指定して同無線タグの第２メモリ領域の読み取りを試行する第２制御機能と、
この第２制御機能により前記記憶手段に記憶されたアクセスパスワードを指定することで前記所定の無線タグの第２メモリ領域が読み取られたとき、前記第１制御機能により同無線タグから読み取られたコード情報を用いて所定の処理を実行する処理機能と、
を実現させるための制御プログラム。
【請求項５】
コード情報が記憶される第1メモリ領域、及び、予め設定されたアクセスパスワードが指定されたときに読み取り可能な第２メモリ領域を有する無線タグを発行するタグ発行手段と、
無線タグと無線通信する無線通信手段と、
前記タグ発行手段により発行された無線タグのアクセスパスワードを記憶する記憶手段と、
前記無線通信手段の無線通信により所定の無線タグの第１メモリ領域に記憶されたコード情報を読み取る第１制御手段と、
前記無線通信手段の無線通信により、アクセスパスワードを指定せずに前記所定の無線タグの第２メモリ領域の読み取りを試行し、読み取れないならば前記記憶手段に記憶されたアクセスパスワードを指定して同無線タグの第２メモリ領域の読み取りを試行する第２制御手段と、
この第２制御手段により前記記憶手段に記憶されたアクセスパスワードを指定することで前記所定の無線タグの第２メモリ領域が読み取られたとき、前記第１制御手段により同無線タグから読み取られたコード情報を用いて所定の処理を実行する処理手段と、
を備えていることを特徴とする無線通信システム。
【請求項６】
前記第２制御手段により、アクセスパスワードを指定せずに前記所定の無線タグの第２メモリ領域を読み取れたとき、又は、前記記憶手段に記憶されたアクセスパスワードを指定しても同無線タグの第２メモリ領域を読み取れないときに所定の情報を報知する報知手段をさらに備えていることを特徴とする請求項５に記載の無線通信システム。
【発明の詳細な説明】
【技術分野】
【０００１】
本発明の実施形態は、無線タグと無線通信し、この無線通信により無線タグから得た情報を用いて各種の情報処理を行う無線通信装置、その制御プログラム、および上記無線通信装置を備える無線通信システムに関する。
【背景技術】
【０００２】
近年、ＲＦＩＤタグの標準化団体であるＥＰＣ（Electronic Product Code）グローバルにより提唱された規定を満たすＣ１Ｇｅｎ２（Class 1 Generation 2）タイプの無線タグ（ＲＦＩＤ（Radio Frequency Identification）タグとも称す）が普及しつつある。Ｃ１Ｇｅｎ２タイプのＲＦＩＤタグは、４つのバンク、すなわちユーザデータを記憶する「ＵＳＥＲ」領域，タグＩＤを記憶する「ＴＩＤ」領域，ＥＰＣを記憶する「ＥＰＣ」領域，およびアクセスパスワードやキルパスワードを記憶する「ＲＥＳＥＲＶＥＤ」領域を有している。
【０００３】
上記ＥＰＣ領域のデータは、各種分野の無線通信システムで重要な役割を担っている。例えばＲＦＩＤタグをＩＤカードに埋め込んで個人識別に使用するシステムにおいては、ＩＤカードに埋め込まれたＲＦＩＤタグのＥＰＣ領域から読み取られるデータが建物等への入退管理や特定の装置の使用者管理に用いられている。
【０００４】
また、小売店等にて商品にＲＦＩＤタグを取り付けて管理するシステムにおいては、商品に取り付けられたＲＦＩＤタグのＥＰＣ領域から読み取られるデータが売上登録に用いられている。さらに、ＲＦＩＤタグが埋め込まれたクーポンを発行し、このクーポンに埋め込まれたＲＦＩＤタグのＥＰＣ領域から読み取られるデータを用いて売上登録された商品の代金を値割引きするとのシステムも存在する。
【先行技術文献】
【特許文献】
【０００５】
【特許文献１】実用新案登録第３０７５４４０号公報
【発明の概要】
【発明が解決しようとする課題】
【０００６】
Ｃ１Ｇｅｎ２タイプのＲＦＩＤタグは、リードロック機能およびライトロック機能を備えているが、ＥＰＣ領域に対してはライトロックしかかけることができない。そのため、ＥＰＣ領域のデータの書き換えは禁止できるが、ＲＦＩＤリーダライタによりＥＰＣ領域から読み取ったデータを他のＲＦＩＤタグのＥＰＣ領域に書き込むことで、ＥＰＣ領域のデータが同一のＲＦＩＤタグを簡単に複製できてしまう。
【０００７】
このようにＥＰＣ領域のデータが同一のＲＦＩＤタグが複製されると、上記のようにＲＦＩＤタグを個人識別や商品の管理、およびクーポンに使用するシステムにおいて、種々の不正が行われる虞がある。また、このような問題は、Ｃ１Ｇｅｎ２タイプのＲＦＩＤタグに限らず、他のタイプのＲＤＩＤタグについても同様に生じ得る。
【０００８】
以上のような事情から、ＲＦＩＤタグを用いる各種の無線通信システムにおいて、偽造されたＲＦＩＤタグの使用を未然に防止するための手段を講じる必要があった。
【課題を解決するための手段】
【０００９】
上記目的を達成すべく、一実施形態における無線通信装置は、無線通信手段と、記憶手段と、第１制御手段と、第２制御手段と、処理手段とを備えている。  
上記無線通信手段は、コード情報を記憶した第1メモリ領域、及び、予め設定されたアクセスパスワードが指定されたときに読み取り可能な第２メモリ領域を有する無線タグと無線通信する。上記記憶手段は、予め指定されたアクセスパスワードを記憶する。上記第１制御手段は、無線通信手段の無線通信により所定の無線タグの第１メモリ領域に記憶されたタグコードを読み取る。上記第２制御手段は、無線通信手段の無線通信により、アクセスパスワードを指定せずに所定の無線タグの第２メモリ領域の読み取りを試行し、読み取れないならば記憶手段に記憶されたアクセスパスワードを指定して同無線タグの第２メモリ領域の読み取りを試行する。上記処理手段は、第２制御手段により記憶手段に記憶されたアクセスパスワードを指定することで所定の無線タグの第２メモリ領域が読み取られたとき、第１制御手段により同無線タグから読み取られたコード情報を用いて所定の処理を実行する。
【図面の簡単な説明】
【００１０】
【図１】一実施形態におけるＰＯＳシステムの構成を示す図。
【図２】同実施形態における値引タグの一例を示す模式図。
【図３】同実施形態における値引タグのメモリ構成を示す図。
【図４】同実施形態におけるＰＯＳ端末の要部構成を示すブロック図。
【図５】同実施形態におけるタグ発行装置の要部構成を示すブロック図。
【図６】同実施形態における発行処理のフローチャート。
【図７】同実施形態における会計処理のフローチャート。
【図８】同実施形態における値引処理のフローチャート。
【図９】第２の実施形態における割引タグの一例を示す模式図。
【図１０】同実施形態におけるタグ認証テーブルの構成を示す模式図。
【図１１】同実施形態における発行処理のフローチャート。
【図１２】同実施形態における会計処理のフローチャート。
【図１３】同実施形態における値割引処理のフローチャート。
【発明を実施するための形態】
【００１１】
以下、各実施形態について図面を参照しながら説明する。  
なお、各実施形態では、ＲＦＩＤタグを使用するシステムの一例として、スーパーマーケット等の小売店にて稼働するＰＯＳ（Point Of Sales）システムを例示し、このシステムで使用されるＲＦＩＤタグである値引タグや割引タグの偽造を防止するための好適な態様を示す。
【００１２】
（第１の実施形態）
第１の実施形態では、客の買い上げ商品の合計代金から所定額を値引く値引タグを用いる場合について説明する。
【００１３】
［システム構成］  
本実施形態におけるＰＯＳシステムの構成を図１に示す。このシステムは、店舗の会計場に配置されたＰＯＳ端末１と、タグ発行装置２とを備え、これらを有線または無線で相互通信可能に接続して構成されている。但し、ＰＯＳ端末１およびタグ発行装置２の数は１台に限られず、複数のＰＯＳ端末１およびタグ発行装置２にて当該ＰＯＳシステムを構築してもよい。
【００１４】
ＰＯＳ端末１は、本実施形態における無線通信装置として機能するものであり、客が購入しようとする商品の会計に使用される。  
タグ発行装置２は、本実施形態におけるタグ発行手段として機能するものであり、値引タグ３を発行する。このタグ発行装置２は、例えば店員が手持ちで操作するハンディターミナルであってもよいし、店舗内の所定位置に固定的に設置されるものであってもよい。
【００１５】
図２は、値引タグ３の一例を示す模式図である。値引タグ３は、紙材や樹脂材料等で形成されたタグ基材３０にＩＣ３１と、アンテナ３２とで構成されるＲＦＩＤインレットを埋め込んで構成される。タグ基材３０の表面は印刷面になっており、図示したように「５０円引き」等の文字が印刷される。また、タグ基材３０の裏面には粘着層が形成されており、この粘着層により値引タグ３は商品やその包装に貼付可能である。
【００１６】
値引タグ３は、Ｃ１Ｇｅｎ２タイプのＲＦＩＤタグであり、ＩＣ３１は図３に示すようにユーザ領域「ＵＳＥＲ」、タグＩＤ領域「ＴＩＤ」、ＥＰＣ領域「ＥＰＣ」、リザーブド領域「ＲＥＳＥＲＶＥＤ」の４つのバンクからなるメモリを有している。ユーザ領域には任意のユーザデータが記憶される。タグＩＤ領域には他のＲＦＩＤタグと重複しないユニークな識別情報がタグの製造段階で記憶される。ＥＰＣ領域には値引タグ３であることを示すコード情報としてＥＰＣ「urn:epc:tag:gid-96:0.Ｘ.Ｙ」が記憶される。ここに、「Ｘ」は値引き／割引きの別を示す識別子であり、値引きを示す「０」か、割引きを示す「１」のいずれかが記述される。また、「Ｙ」には値引額または割引率を示す数値が記述される。本実施形態では値引きを対象としているため、「Ｘ」が「０」となり、「Ｙ」が値引額を示す。リザーブド領域には任意のアクセスパスワードが記憶される。各領域のうち、ユーザ領域およびリザーブド領域はリザーブド領域に記憶されたアクセスパスワードを用いてリードロック（読取制限）およびライトロック（書込制限）が可能であり、ＥＰＣ領域は同アクセスパスワードを用いてライトロックが可能である。また、タグＩＤ領域はＲＦＩＤインレットの製造時にライトロックされている。ＥＰＣ領域は本実施形態における第１メモリ領域として機能し、リザーブド領域は本実施形態における第２メモリ領域として機能し、ユーザ領域は本実施形態における第３メモリ領域として機能する。
【００１７】
なお、当該店舗で販売される商品には、その商品の商品コードを含むＥＰＣがＥＰＣ領域に記憶されたＲＦＩＤインレットを有するＣ１Ｇｅｎ２タイプの商品タグ４が取り付けられている。これら値引タグ３や商品タグ４に記憶された情報は、商品の会計時にＰＯＳ端末１によって読み取られ、代金の算出等に用いられる。
【００１８】
［ＰＯＳ端末］  
図４は、ＰＯＳ端末１の要部構成を示すブロック図である。ＰＯＳ端末１は、ＣＰＵ（Central Processing Unit）１０、メモリ１１、通信Ｉ／Ｆ（Interface）１２、バーコードスキャナ１３、操作部１４、ディスプレイ１５、レシートプリンタ１６、およびＲＦＩＤリーダ１７を備えたコンピュータタイプの情報処理装置である。メモリ１１、通信Ｉ／Ｆ１２、バーコードスキャナ１３、操作部１４、ディスプレイ１５、レシートプリンタ１６、およびＲＦＩＤリーダ１７は、アドレスバスやデータバス等で構成されるバスライン１８を介してＣＰＵ１０に接続されている。
【００１９】
メモリ１１は、本実施形態における記憶手段として機能するものであり、ＲＯＭ（Read Only Memory）やＲＡＭ（Random Access Memory）等で構成され、ＣＰＵ１０が実行する各種動作の制御プログラムを記憶するとともに、処理場面に応じて各種の作業用メモリエリアを形成する。  
通信Ｉ／Ｆ１２は、タグ発行装置２とのデータ通信を制御する。  
バーコードスキャナ１３は、商品等に付されたバーコードを光学的に読み取ってデコードし、そのバーコードが示す商品コード等のコード情報を生成する。  
操作部１４は、各種操作キーを備えるキーボードや、ディスプレイ１５の表示面上に設けられたタッチパネル等で構成される。  
ディスプレイ１５は、例えばＬＣＤ（Liquid Crystal Display）であり、ＰＯＳ端末１で処理される情報を選択的に表示する。  
レシートプリンタ１６は、ＰＯＳ端末１で販売処理された商品の名称や価格、合計代金、預かり金額、釣銭額等をレシート用紙に印刷して発行する。
【００２０】
ＲＦＩＤリーダ１７は、本実施形態における無線通信手段として機能するものであり、値引タグ３や商品タグ４と電波を介して無線通信するアンテナと、このアンテナによる通信タイミングを制御する制御ユニットとを有する。上記アンテナは、例えば会計場のレジカウンタに設けられ、その通信範囲は、レジカウンタ上の所定位置に限定されるように調整されている。
【００２１】
［タグ発行装置］  
図５は、タグ発行装置２の要部構成を示すブロック図である。タグ発行装置２は、ＣＰＵ２０、メモリ２１、通信Ｉ／Ｆ２２、プリンタ２３、操作部２４、ディスプレイ２５、およびＲＦＩＤリーダライタ２６を備えたコンピュータタイプの情報処理装置である。メモリ２１、通信Ｉ／Ｆ２２、プリンタ２３、操作部２４、ディスプレイ２５、およびＲＦＩＤリーダライタ２６は、アドレスバスやデータバス等で構成されるバスライン２７を介してＣＰＵ２０に接続されている。
【００２２】
メモリ２１は、ＲＯＭやＲＡＭ等で構成され、ＣＰＵ２０が実行する各種動作の制御プログラムを記憶するとともに、処理場面に応じて各種の作業用メモリエリアを形成する。  
通信Ｉ／Ｆ２２は、ＰＯＳ端末１とのデータ通信を制御する。  
操作部２４は、各種操作キーを備えるキーボードや、ディスプレイ２５の表示面上に設けられたタッチパネル等で構成される。  
ディスプレイ２５は、例えばＬＣＤであり、タグ発行装置２で処理される情報を選択的に表示する。  
タグ発行装置２内には、ユーザ領域、ＥＰＣ領域、リザーブド領域に情報が書き込まれておらず、印刷面に文字等が印刷されていないＣ１Ｇｅｎ２タイプのＲＦＩＤタグが台紙上に複数枚並べて貼付された状態でセットされている。プリンタ２３およびＲＦＩＤリーダライタ２６は、このＲＦＩＤタグを値引タグ３として発行する手段として機能する。すなわち、ＲＦＩＤリーダライタ２６は、上記ＲＦＩＤタグのユーザ領域，ＥＰＣ領域，リザーブド領域に所定の情報を書き込み、プリンタ２３は、ＲＦＩＤリーダライタ２６によって情報が書き込まれた後のＲＦＩＤタグの印刷面に値引額を印刷する。このように値引額が印刷された後のＲＦＩＤタグが、値引タグ３としてタグ発行装置２の発行口から発行される。
【００２３】
［発行処理］  
タグ発行装置２による値引タグ３の発行処理について詳細に説明する。賞味期限が近い惣菜のように代金を値引いて販売したい商品がある場合、店員は、タグ発行装置２の操作部２４を操作して値引タグ３の発行を指示する。このときタグ発行装置２のＣＰＵ２０は、メモリ２１に記憶された発行処理用の制御プログラムを実行し、図６のフローチャートに沿って動作する。
【００２４】
すなわち、先ずＣＰＵ２０は、当該処理にて発行される値引タグ３が、本日最初に発行される値引タグ３であるか否かを判定する（ステップＳ１０１）。この判定は、例えばメモリ２１に値引タグ３の発行時にオンされ、１日の業務終了時にオフされるフラグを設け、このフラグを参照することで行われる。
【００２５】
本日最初に発行される値引タグ３である場合（ステップＳ１０１のＹｅｓ）、ＣＰＵ２０は、乱数を用いるなどして任意のアクセスパスワードを生成する（ステップＳ１０２）。そして、この生成したアクセスパスワードを値引認証コードとしてＰＯＳ端末１に登録する（ステップＳ１０３）。具体的には、生成したアクセスパスワードとこのパスワードの登録を指示するコマンドとを通信Ｉ／Ｆ２２を介してＰＯＳ端末１に送信する。ＰＯＳ端末１は、通信Ｉ／Ｆ１２を介してタグ発行装置２からアクセスパスワードおよび上記コマンドを受信すると、当該受信したパスワードを本日の値引認証コードとしてメモリ１１に記憶する。
【００２６】
ステップＳ１０３の処理の後、あるいはステップＳ１０１の処理にて本日最初に発行される値引タグ３ではないと判定されたとき（ステップＳ１０１のＮｏ）、ＣＰＵ２０は、値引額の入力を受け付ける（ステップＳ１０４）。この処理では、例えば操作部２４により値引額の入力を受け付けてもよいし、ＰＯＳ端末１とのデータ通信により値引額の入力を受け付けてもよい。
【００２７】
値引額が入力されると、ＣＰＵ２０は、当該入力された値引額を用いてＥＰＣをエンコードする（ステップＳ１０５）。その結果、例えば値引額として５０円が入力されているならば、「urn:epc:tag:gid-96:0.0.50」なるＥＰＣが生成される。ＣＰＵ２０は、ＲＦＩＤリーダライタ２６を制御して、生成したＥＰＣをタグ発行装置２内にセットされたＲＦＩＤタグのＥＰＣ領域に書き込み（ステップＳ１０６）、ステップＳ１０２の処理にて生成したアクセスパスワードを同ＲＦＩＤタグのリザーブド領域に書き込む（ステップＳ１０７）。そして、ＥＰＣ領域をライトロックし、リザーブド領域をリードライトロックする（ステップＳ１０８）。その後、ＣＰＵ２０は、プリンタ２３を制御し、同ＲＦＩＤタグの印刷面に値引額、例えば「５０円引き」なる文字を印刷する（ステップＳ１０９）。
【００２８】
かくしてＥＰＣやアクセスパスワードが書き込まれ、値引額が印刷されたＲＦＩＤタグが、値引タグ３としてタグ発行装置２の発行口から発行され、一連の処理が終了する。店員は、タグ発行装置２から発行された値引タグ３を値引きの対象とする商品に貼付する。  
なお、本実施形態においては、上記発行処理にて発行された値引タグ３は、その発行日に限り使用可能とする。
【００２９】
［会計処理］  
次に、ＰＯＳ端末１が実行する会計処理について説明する。客は、購入しようとする商品の代金を精算するにあたり、それら商品を持って会計場に移動し、レジカウンタ上にそれら商品を載置する。
【００３０】
一方、店員は、ＰＯＳ端末１の操作部１４を操作して会計処理の開始を宣言する。このとき、ＰＯＳ端末１のＣＰＵ１０は、メモリ１１に記憶された会計処理用の制御プログラムを実行し、図７のフローチャートに沿って動作する。  
すなわち、先ずＣＰＵ２０は、ＲＦＩＤリーダ１７を制御し、レジカウンタ上のＲＦＩＤタグ、すなわち商品タグ４や値引タグ３のＥＰＣ領域に記憶されたＥＰＣおよびＴＩＤ領域に記憶されたタグＩＤの読み取りを試行する（ステップＳ２０１，Ｓ２０２のＮｏ：第１制御手段）。このとき、ＲＦＩＤリーダ１７がＲＦＩＤタグから応答されるＥＰＣおよびタグＩＤを受信したならば（ステップＳ２０２のＹｅｓ）、ＣＰＵ１０は、受信したタグＩＤに基づき、当該応答したＲＦＩＤタグが今回の会計処理にて読み取り済みであるか否かを判定する（ステップＳ２０３）。受信したタグＩＤと同一のタグＩＤを今回の会計処理にて既に受信している場合には、当該応答したＲＦＩＤタグは読み取り済みであると判定し（ステップＳ２０３のＹｅｓ）、受信したＥＰＣを破棄してステップＳ２０１の処理に戻る。
【００３１】
一方、受信したタグＩＤと同一のタグＩＤを今回の会計処理にて受信していない場合には、当該応答したＲＦＩＤタグは読み取り済みでないと判定し（ステップＳ２０３のＮｏ）、ＣＰＵ１０は、当該受信したＥＰＣに基づき応答したＲＦＩＤタグの種別を判定する（ステップＳ２０４）。当該ＥＰＣが商品を示す場合、ＣＰＵ１０は、応答したＲＦＩＤタグが商品タグ４であると判定し（ステップＳ２０４の「商品タグ」）、商品登録処理を実行する（ステップＳ２０５）。具体的には、メモリ１１に予め記憶された商品マスタを参照して当該ＥＰＣ中の商品コードで示される商品の商品情報（商品名や価格等）を特定し、メモリ１１に形成された当該会計処理用の登録エリアに登録する。なお、商品タグ４が取り付けられていない商品があるならば、その商品の商品情報をバーコードスキャナ１３や操作部１４により入力してもよい。
【００３２】
一方、ステップＳ２０４の処理において、ＥＰＣが値引きを示す場合、ＣＰＵ１０は、応答したＲＦＩＤタグが値引タグ３であると判定し（ステップＳ２０４の「値引タグ」）、値引処理を実行する（ステップＳ２０６）。値引処理においては、当該値引タグ３が使用可能である場合に限り、値引額等を示す値引情報がメモリ１１の上記登録エリアに登録される。値引処理の詳細については、図８の説明にて後述する。
【００３３】
商品登録処理あるいは値引処理の後、ＣＰＵ１０は、ＲＦＩＤタグの読み取り終了が指示されているか否かを判定する（ステップＳ２０７）。未だ読み取り終了が指示されていないならば（ステップＳ２０７のＮｏ）、ＣＰＵ１０は、ステップＳ２０１の処理に戻り、再びＲＦＩＤタグの読み取りを試行する。やがてレジカウンタ上に在る全てのＲＦＩＤタグの読み取りが完了すると、店員は、操作部１４を操作して読み取り終了を指示する。この指示がなされると（ステップＳ２０７のＹｅｓ）、ＣＰＵ１０は、メモリ１１の上記登録エリアに登録された商品情報および値引情報に基づいて各商品の合計代金を算出し、ディスプレイ２５に表示させる（ステップＳ２０８）。さらに、現金、クレジットカード、あるいは電子マネー等による代金の支払を受け付け（ステップＳ２０９）、レシートプリンタ１６を制御して当該会計のレシートを発行させる（ステップＳ２１０）。かくして一連の処理が終了する。
【００３４】
［値引処理］  
次に、上記値引処理について説明する。値引処理において、ＰＯＳ端末１のＣＰＵ１０は、図８のフローチャートに沿って動作する。すなわち、先ずＣＰＵ１０は、メモリ１１に本日の値引認証コードが登録されているか否かを判定する（ステップＳ３０１）。登録されているならば（ステップＳ３０１のＹｅｓ）、ＲＦＩＤリーダ１７を制御し、直前のステップＳ２０１の処理にてＥＰＣ等を読み取ったＲＦＩＤタグのリザーブド領域の読み取りを試行する（ステップＳ３０２）。このとき、アクセスパスワードは指定しない。
【００３５】
その後、ＣＰＵ１０は、リザーブド領域の読み取り成否を判定する（ステップＳ３０３）。リザーブド領域からアクセスパスワードが読み取れていない場合（ステップＳ３０３のＮｏ）、ＣＰＵ１０は、ＲＦＩＤリーダ１７を制御し、メモリ１１に登録された本日の値引認証コードをアクセスパスワードとして指定して、再度同じＲＦＩＤタグのリザーブド領域の読み取りを試行する（ステップＳ３０４）。ここに、ステップＳ３０２〜Ｓ３０４の処理は、本実施形態における第２制御手段を構成する。
【００３６】
その後、ＣＰＵ１０は、リザーブド領域の読み取り成否を判定する（ステップＳ３０５）。リザーブド領域からアクセスパスワードが読み取れている場合（ステップＳ３０５のＹｅｓ）、当該ＲＦＩＤタグは当日発行された値引タグ３であるため、ＣＰＵ１０は、直前のステップＳ２０１の処理にて当該値引タグ３から読み取ったＥＰＣで示される値引額等の値引情報をメモリ１１に形成された当該会計処理用の登録エリアに登録し（ステップＳ３０６：処理手段）、一連の処理を終了する。上記ステップＳ２０８の処理では、このようにしてメモリ１１の上記登録エリアに登録された値引情報で示される値引額が、各商品情報で示される価格の合計から減算され、合計代金が算出される。
【００３７】
ここで、ステップＳ３０１の処理においてメモリ１１に本日の値引認証コードが登録されていない場合（ステップＳ３０１のＹｅｓ）、少なくとも当該ＲＦＩＤタグは本日発行された値引タグ３でないことになる。この場合、上記した値引タグ３使用の条件により、当該ＲＦＩＤタグを値引きに使用することができない。したがって、ＣＰＵ１０は、ディスプレイ１５に警告メッセージを表示するなどして当該ＲＦＩＤタグは値引きに使用できない旨を報知する（ステップＳ３０７：報知手段）。その後、メモリ１１の上記登録エリアに値引情報を登録することなく値引処理を終了し、ステップＳ２０７の処理に進む。
【００３８】
また、ステップＳ３０２の処理においてリザーブド領域からアクセスパスワードが読み取れた場合（ステップＳ３０３のＹｅｓ）、当該ＲＦＩＤタグのリザーブド領域がリードロックされていないことになる。すなわち、当該ＲＦＩＤタグは、タグ発行装置２の発行処理にて発行された値引タグ３ではなく、偽造されたタグである蓋然性がある。したがって、ＣＰＵ１０は、ディスプレイ１５に警告メッセージを表示するなどして当該ＲＦＩＤタグは値引きに使用できない旨を報知する（ステップＳ３０７：報知手段）。その後、メモリ１１の上記登録エリアに値引情報を登録することなく値引処理を終了し、ステップＳ２０７の処理に進む。
【００３９】
また、ステップＳ３０４の処理においてリザーブド領域からアクセスパスワードが読み取れない場合（ステップＳ３０５のＮｏ）、当該リザーブド領域に記憶されたアクセスパスワードと本日の値引認証コードとが一致しないことになる。すなわち、当該ＲＦＩＤタグは値引タグ３であっても本日発行されたものでないか、あるいは偽造タグである蓋然性がある。したがって、ＣＰＵ１０は、ディスプレイ１５に警告メッセージを表示するなどして当該ＲＦＩＤタグは値引きに使用できない旨を報知する（ステップＳ３０７：報知手段）。その後、メモリ１１の上記登録エリアに値引情報を登録することなく値引処理を終了し、ステップＳ２０７の処理に進む。
【００４０】
以上説明したように、本実施形態においては、ＲＦＩＤタグによる値引きを行うにあたり、先ずアクセスパスワードを指定せずにＲＦＩＤタグのリザーブド領域の読み取りを試行し、アクセスパスワードが読み取れないならば値引認証コードをアクセスパスワードとして指定して同ＲＦＩＤタグのリザーブド領域の読み取りを試行し、これによりリザーブド領域を読み取ることができたならば同ＲＦＩＤタグが使用可能な値引タグ３であるとして、そのＥＰＣ領域から読み取ったＥＰＣを用いて代金の値引を行う。このようにしたことにより、値引きを示すＥＰＣを所定のＲＦＩＤタグのＥＰＣ領域に書き込んで値引タグ３が偽造された場合であっても、その偽造されたＲＦＩＤタグの使用を確実に未然防止できる。
【００４１】
また、値引タグ３としては一般的なＣ１Ｇｅｎ２タイプのＲＦＩＤタグを用いることができるので、上記ＰＯＳシステムの導入が容易となる。
【００４２】
（第２の実施形態）
次に、第２の実施形態について説明する。  
本実施形態は、値引タグ３に加えて代金を割り引く割引タグ５を導入し、しかも値引タグ３および割引タグ５による値割引きの対象を特定の商品に限定する点で、第１の実施形態と異なる。第１の実施形態と同一の構成要素には同一の符号を付し、重複説明は必要な場合にのみ行う。
【００４３】
図９は、割引タグ５の一例を示す模式図である。この割引タグ５は、図２に示した値引タグ３と同じく紙材や樹脂材料等で形成されたタグ基材３０にＩＣ３１と、アンテナ３２とで構成されるＲＦＩＤインレットを埋め込んで構成される。タグ基材３０の表面は印刷面になっており、図示したように「５０％引き」等の文字が印刷される。この割引タグ５もタグ発行装置２から発行されるＣ１Ｇｅｎ２タイプのＲＦＩＤタグであり、ＩＣ３１は図３に示す４つのバンクからなるメモリを有している。ＥＰＣ領域にはＥＰＣとして「urn:epc:tag:gid-96:0.Ｘ.Ｙ」が記憶され、割引を対象とするため「Ｘ」が「１」となり、「Ｙ」が割引率となる。
【００４４】
本実施形態において、ＰＯＳ端末１のメモリ１１には、図１０に示すタグ認証テーブル１１０が記憶されている。タグ認証テーブル１１０には、タグ発行装置２により発行された値引タグ３および割引タグ５のＥＰＣ領域に書き込まれたＥＰＣと、リザーブド領域に書き込まれたアクセスパスワードとを対応つけたレコードで構成されている。本実施形態においては、発行処理にて発行された値引タグ３および割引タグ５は、タグ認証テーブル１１０に情報が登録されている場合に限り使用可能とする。
【００４５】
［発行処理］  
本実施形態における発行処理において、タグ発行装置２のＣＰＵ２０は、メモリ２１に記憶された発行処理用の制御プログラムを実行し、図１１のフローチャートに沿って動作する。
【００４６】
すなわち、先ずＣＰＵ２０は、割引きの対象とする商品の識別情報である商品コードの入力を受け付ける（ステップＳ４０１）。商品コードは、ＰＯＳ端末１のバーコードスキャナ１３により商品に付されたバーコードを読み取ることで入力されてもよいし、ＰＯＳ端末１の操作部１４の操作あるいはタグ発行装置２の操作部２４の操作によって入力されてもよい。
【００４７】
商品コードが入力されると、ＣＰＵ２０は、値引き／割引きの種別の指定を受け付ける（ステップＳ４０２）。店員が操作部２４を操作して値引き／割引きの種別を指定すると、ＣＰＵ２０は、値引きが指定されているならば値引額の入力を受け付け、割引きが指定されているならば割引率の入力を受け付ける（ステップＳ４０３）。店員が操作部２４を操作して値引額または割引率を入力すると、ＣＰＵ２０は、指定された値引き／割引きの種別と、入力された値引額または割引率とを用いてＥＰＣをエンコードする（ステップＳ４０４）。その結果、例えば値引きが指定され、値引額として５０円が入力されているならば、「urn:epc:tag:gid-96:0.0.50」なるＥＰＣが生成され、割引が指定され、割引率として５０％が入力されているならば、「urn:epc:tag:gid-96:0.1.50」なるＥＰＣが生成される。
【００４８】
ＥＰＣをエンコードした後、ＣＰＵ２０は、乱数を用いるなどして任意のアクセスパスワードを生成する（ステップＳ４０５）。その後、ＣＰＵ２０は、ＲＦＩＤリーダライタ２６を制御して、生成したＥＰＣをタグ発行装置２内にセットされたＲＦＩＤタグのＥＰＣ領域に書き込み（ステップＳ４０６）、ステップＳ４０５の処理にて生成したアクセスパスワードを同ＲＦＩＤタグのリザーブド領域に書き込み（ステップＳ４０７）、ステップＳ４０１の処理にて入力された商品コードを同ＲＦＩＤタグのユーザ領域に書き込む（ステップＳ４０８）。さらに、ＥＰＣ領域をライトロックし、リザーブド領域およびユーザ領域をリードライトロックする（ステップＳ４０９）。その後、ＣＰＵ２０は、プリンタ２３を制御し、同ＲＦＩＤタグの印刷面に値割引きの内容を示す情報、例えば「５０円引き」や「５０％引き」なる文字を印刷する（ステップＳ４１１）。
【００４９】
かくしてＥＰＣやアクセスパスワードが書き込まれ、値割引きの内容を示す情報が印刷されたＲＦＩＤタグが、値引タグ３あるいは割引タグ５としてタグ発行装置２の発行口から発行され、一連の処理が終了する。
【００５０】
［会計処理］  
次に、本実施形態における会計処理について説明する。ＰＯＳ端末１のＣＰＵ１０は、メモリ１１に記憶された会計処理用の制御プログラムを実行し、図１２のフローチャートに沿って動作する。  
すなわち、先ずＣＰＵ２０は、ＲＦＩＤリーダ１７を制御し、レジカウンタ上のＲＦＩＤタグ、すなわち商品タグ４，値引タグ３および割引タグ５のＥＰＣ領域に記憶されたＥＰＣおよびＴＩＤ領域に記憶されたタグＩＤの読み取りを試行する（ステップＳ５０１，Ｓ５０２のＮｏ：第１制御手段）。このとき、ＲＦＩＤリーダ１７がＲＦＩＤタグから応答されるＥＰＣおよびタグＩＤを受信したならば（ステップＳ５０２のＹｅｓ）、ＣＰＵ１０は、受信したタグＩＤに基づき、当該応答したＲＦＩＤタグが今回の会計処理にて読み取り済みであるか否かを判定する（ステップＳ５０３）。受信したタグＩＤと同一のタグＩＤを今回の会計処理にて既に受信している場合には、当該応答したＲＦＩＤタグは読み取り済みであると判定し（ステップＳ５０３のＹｅｓ）、受信したＥＰＣを破棄してステップＳ５０１の処理に戻る。
【００５１】
一方、受信したタグＩＤと同一のタグＩＤを今回の会計処理にて受信していない場合には、当該応答したＲＦＩＤタグは読み取り済みでないと判定し（ステップＳ５０３のＮｏ）、ＣＰＵ１０は、当該受信したＥＰＣに基づき応答したＲＦＩＤタグの種別を判定する（ステップＳ５０４）。当該ＥＰＣが商品を示す場合、ＣＰＵ１０は、応答したＲＦＩＤタグが商品タグ４であると判定し（ステップＳ５０４の「商品タグ」）、商品登録処理を実行する（ステップＳ５０５）。具体的には、メモリ１１に予め記憶された商品マスタを参照して当該ＥＰＣ中の商品コードで示される商品の商品情報（商品名や価格等）を特定し、メモリ１１に形成された当該会計処理用の登録エリアに登録する。なお、商品タグ４が取り付けられていない商品があるならば、その商品の商品情報をバーコードスキャナ１３や操作部１４により入力してもよい。
【００５２】
一方、ステップＳ５０４の処理において、ＥＰＣが値引きまたは割引きを示す場合、ＣＰＵ１０は、応答したＲＦＩＤタグが値引タグ３または割引タグ５であると判定し（ステップＳ５０４の「値引タグ，割引タグ」）、値割引処理を実行する（ステップＳ５０６）。値割引処理においては、当該値引タグ３または割引タグ５が使用可能である場合に限り、値引額、割引率、対象商品等を示す値割引情報がメモリ１１の上記登録エリアに記憶される。値割引処理の詳細については、図１３の説明にて後述する。
【００５３】
商品登録処理あるいは値割引処理の後、ＣＰＵ１０は、ＲＦＩＤタグの読み取り終了が指示されているか否かを判定する（ステップＳ５０７）。未だ読み取り終了が指示されていないならば（ステップＳ５０７のＮｏ）、ＣＰＵ１０は、ステップＳ５０１の処理に戻り、再びＲＦＩＤタグの読み取りを試行する。やがてレジカウンタ上に在る全てのＲＦＩＤタグの読み取りが完了すると、店員は、操作部１４を操作して読み取り終了を指示する。この指示がなされると（ステップＳ５０７のＹｅｓ）、ＣＰＵ１０は、メモリ１１の上記登録エリアに値割引情報が登録されているか否かを判定する（ステップＳ５０８）。値割引情報が１つでも登録されているならば（ステップＳ５０８のＹｅｓ）、ＣＰＵ１０は、各値割引情報で示される値割引きの対象商品の商品情報が上記登録エリアに記憶されているか否かを判定する（ステップＳ５０９）。対象商品の商品情報が記憶されていない値割引情報があるならば（ステップＳ５０９のＮｏ）、上記登録エリアからその値割引情報を削除する（ステップＳ５１０）。
【００５４】
上記登録エリアに値割引情報が１つでも記憶されていない場合（ステップＳ５０９のＹｅｓ）、あるいはステップＳ５１０の処理の後、ＣＰＵ１０は、上記登録エリアに記憶された商品情報および値割引情報に基づいて各商品の合計代金を算出し、ディスプレイ２５に表示させる（ステップＳ５１１）。さらに、現金、クレジットカード、あるいは電子マネー等による代金の支払を受け付け（ステップＳ５１２）、レシートプリンタ１６を制御して当該会計のレシートを発行させる（ステップＳ５１３）。かくして一連の処理が終了する。
【００５５】
［値割引処理］  
次に、上記値割引処理について説明する。値割引処理において、ＰＯＳ端末１のＣＰＵ１０は、図１３のフローチャートに沿って動作する。すなわち、先ずＣＰＵ１０は、直前のステップＳ５０１の処理にて読み取ったＥＰＣがタグ認証テーブル１１０に登録されているか否かを判定する（ステップＳ６０１）。登録されているならば（ステップＳ６０１のＹｅｓ）、ＣＰＵ１０は、ＲＦＩＤリーダ１７を制御し、直前のステップＳ５０１の処理にてＥＰＣ等を読み取ったＲＦＩＤタグのリザーブド領域の読み取りを試行する（ステップＳ６０２）。このとき、アクセスパスワードは指定しない。
【００５６】
その後、ＣＰＵ１０は、リザーブド領域の読み取り成否を判定する（ステップＳ６０３）。リザーブド領域からアクセスパスワードが読み取れていない場合（ステップＳ６０３のＮｏ）、ＣＰＵ１０は、ＲＦＩＤリーダ１７を制御し、直前のステップＳ５０１の処理にて読み取ったＥＰＣに対応付けてタグ認証テーブル１１０に登録されたアクセスパスワードを指定して、再度同じＲＦＩＤタグのリザーブド領域の読み取りを試行する（ステップＳ６０４）。ここに、ステップＳ６０２〜Ｓ６０４の処理は、本実施形態における第２制御手段を構成する。
【００５７】
その後、ＣＰＵ１０は、リザーブド領域の読み取り成否を判定する（ステップＳ６０５）。リザーブド領域からアクセスパスワードが読み取れている場合（ステップＳ６０５のＹｅｓ）、ＣＰＵ１０は、ＲＦＩＤリーダ１７を制御し、直前のステップＳ５０１の処理にてＥＰＣ等を読み取ったＲＦＩＤタグのユーザ領域の読み取りを試行する（ステップＳ６０６）。このとき、アクセスパスワードは指定しない。
【００５８】
その後、ＣＰＵ１０は、ユーザ領域の読み取り成否を判定する（ステップＳ６０７）。ユーザ領域から商品コードが読み取れていない場合（ステップＳ６０７のＮｏ）、ＣＰＵ１０は、ＲＦＩＤリーダ１７を制御し、直前のステップＳ５０１の処理にて読み取ったＥＰＣに対応付けてタグ認証テーブル１１０に登録されたアクセスパスワードを指定して、再度同じＲＦＩＤタグのユーザ領域の読み取りを試行する（ステップＳ６０８）。ここに、ステップＳ６０６〜Ｓ６０８の処理は、本実施形態における第３制御手段を構成する。
【００５９】
その後、ＣＰＵ１０は、ユーザ領域の読み取り成否を判定する（ステップＳ６０９）。ユーザ領域から商品コードが読み取れた場合（ステップＳ６０９のＹｅｓ）、当該ＲＦＩＤタグはタグ発行装置２から発行された正規の値引タグ３または割引タグ５であるため、ＣＰＵ１０は、直前のステップＳ５０１の処理にて当該ＲＦＩＤタグから読み取ったＥＰＣで示される値引額または割引率、およびユーザ領域から読み取った商品コードを示す値引情報をメモリ１１に形成された上記登録エリアに登録し（ステップＳ６１０：処理手段）、一連の処理を終了する。このようにしてメモリ１１の上記登録エリアに記憶された値割引情報が値引きに係るものである場合、上記ステップＳ５１１の処理においては当該値割引情報で示される値引額が対象商品の代金から値引かれる。また、上記登録エリアに記憶された値割引情報が割引きに係るものである場合、上記ステップＳ５１１の処理においては当該値割引情報で示される割引率に応じて対象商品の代金が割引かれる。
【００６０】
ここで、ステップＳ６０１の処理においてタグ認証テーブル１１０に直前のステップＳ５０１の処理にて読み取ったＥＰＣが登録されていない場合（ステップＳ６０１のＮｏ）、ステップＳ６０２の処理においてパスワードを指定せずにリザーブド領域からアクセスパスワードが読み取れた場合（ステップＳ６０３のＹｅｓ）、ステップＳ６０４の処理においてアクセスパスワードを指定したにも関わらずリザーブド領域からアクセスパスワードが読み取れない場合には（ステップＳ６０５のＮｏ）、当該ＲＦＩＤタグはタグ発行装置２から発行された値引タグ３でも割引タグ５でもないことになる。すなわち、当該タグは、偽造されたタグである蓋然性がある。したがって、ＣＰＵ１０は、ディスプレイ１５に警告メッセージを表示するなどして当該ＲＦＩＤタグは値割引きに使用できない旨を報知する（ステップＳ６１１：報知手段）。その後、メモリ１１の上記登録エリアに値割引情報を記憶することなく値割引処理を終了し、ステップＳ５０７の処理に進む。
【００６１】
同様に、ステップＳ６０６の処理においてパスワードを指定せずにユーザ領域から商品コードが読み取れた場合（ステップＳ６０７のＹｅｓ）、ステップＳ６０８の処理においてアクセスパスワードを指定したにも関わらずユーザ領域から商品コードが読み取れない場合には（ステップＳ６０９のＮｏ）、当該ＲＦＩＤタグはタグ発行装置２から発行された値引タグ３でも割引タグ５でもないことになる。したがって、ＣＰＵ１０は、ディスプレイ１５に警告メッセージを表示するなどして当該ＲＦＩＤタグは値割引きに使用できない旨を報知する（ステップＳ６１１：報知手段）。その後、メモリ１１の上記登録エリアに値割引情報を記憶することなく値割引処理を終了し、ステップＳ５０７の処理に進む。
【００６２】
以上説明したように、本実施形態においては、値引タグ３および割引タグ５による値割引きの対象を、ユーザ領域に記憶された特定の商品に限定する。このような構成であれば、特定の商品に貼付された値引タグ３または割引タグ５を剥がして値割引きの対象でない商品に貼付し、会計を受けるなどの不正が防止される。
【００６３】
また、リザーブド領域だけでなくユーザ領域に対しても、先ずアクセスパスワードを指定せずに読み取りを試行し、読み取れないならばアクセスパスワードを指定して読み取りを試行する。そして、パスワードを指定しなくてもデータが読み取れた場合や、パスワードを指定してもデータを読み取れない場合には、使用不可を報知して値割引きを行わない。このようにしたことにより、偽造タグの使用をより確実に防止することができる。  
なお、第１の実施形態と同様の効果を奏することは勿論である。
【００６４】
（変形例）
上記各実施形態にて開示した構成は、種々変形実施可能である。具体的な変形例としては、例えば次のようなものがある。
【００６５】
（１）上記各実施形態では、値引タグ３や割引タグ５を用いて代金を値割引きするＰＯＳシステムを例示した。しかしながら、偽造タグの使用防止に関する構成を他のシステム、例えばＲＦＩＤタグをＩＤカードに埋め込んで個人識別に使用するシステムに適用してもよい。この場合にあっては、ＩＤカードを発行する装置がタグ発行手段となり、個人識別のためにＩＤカードを読み取る装置が無線通信装置となる。また、処理手段により実行される処理は個人識別に関する処理となる。
【００６６】
（２）上記各実施形態では、Ｃ１Ｇｅｎ２タイプのＲＦＩＤタグを用いてシステムを構築する場合を例示した。しかしながら、Ｃ１Ｇｅｎ２以外のタイプのＲＦＩＤタグを用いてシステムを構築してもよい。Ｃ１Ｇｅｎ２以外のタイプのＲＦＩＤタグを用いる場合であっても、そのタグがコード情報を記憶した第1メモリ領域、及び、予め設定されたアクセスパスワードが指定されたときに読み取り可能な第２メモリ領域を有するならば、上記各実施形態と同様の構成を実現可能である。
【００６７】
（３）第１の実施形態では、リザーブド領域を第２メモリ領域として用いて値引タグ３が偽造タグであるかどうかを判定する場合を例示した。しかしながら、ユーザ領域に適当なデータを書き込んでおき、リザーブド領域に代えてユーザ領域を第２メモリ領域として用いてもよい。この場合、図８に示した値引処理のステップＳ３０２の処理においてはパスワードを指定せずにユーザ領域の読み取りを試行し、ステップＳ３０４の処理においては認証コードをパスワードとして指定してユーザ領域の読み取りを試行する。なお、第１，第２の実施形態双方において、Ｃ１Ｇｅｎ２以外のタイプのタグを用いてシステムを構築する場合にあっては、そのタグが有するメモリ領域のうち、リードロック可能な任意の領域を第２メモリ領域として使用すればよい。
【００６８】
（４）上記各実施形態では、リザーブド領域に記憶されるアクセスパスワードを用いて偽造タグであるかどうかを判定する場合を例示した。しかしながら、アクセスパスワードに代えて、同じくリザーブド領域に記憶されるキルパスワードを用いて同様の構成を実現してもよい。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１…ＰＯＳ端末、２…タグ発行装置、３…値引タグ、４…商品タグ、５…割引タグ、１０，２０…ＣＰＵ、１１，２１…メモリ、１７…ＲＦＩＤリーダ、２３…プリンタ、２６…ＲＦＩＤリーダライタ、１１０…タグ認証テーブル
【図１】
0005216838.tif 000002
【図２】
0005216838.tif 000003
【図３】
0005216838.tif 000004
【図４】
0005216838.tif 000005
【図５】
0005216838.tif 000006
【図６】
0005216838.tif 000007
【図７】
0005216838.tif 000008
【図８】
0005216838.tif 000009
【図９】
0005216838.tif 000010
【図１０】
0005216838.tif 000011
【図１１】
0005216838.tif 000012
【図１２】
0005216838.tif 000013
【図１３】
0005216838.tif 000014